(57)【特許請求の範囲】
【請求項１】
多数の小孔が形成された搬送ベルトのうち転写材が載置される部分の下に位置する吸引口からファンで吸引することにより転写材を前記搬送ベルトに吸着させて搬送する画像形成装置の搬送装置において、
前記吸引口よりも搬送方向上流側に配置された、転写材後端を検知する検知部材を備え、
該検知部材が転写材後端を検知したときに前記ファンを停止させることを特徴とする画像形成装置の搬送装置。
【請求項２】
多数の小孔が形成された搬送ベルトのうち転写材が載置される部分の下に位置する吸引口からファンで吸引することにより転写材を前記搬送ベルトに吸着させて定着部位へ搬送する画像形成装置の搬送装置において、
転写材先端が前記定着部位へ突入した後であって、転写材後端が前記吸引口に達する前にファンを停止させることを特徴とする画像形成装置の搬送装置。
【発明の詳細な説明】
【０００１】
【発明の目的】
【産業上の利用分野】
この発明は、静電複写機、同プリンタなどの画像形成装置、特にその転写材搬送装置に関するものである。
【０００２】
【従来技術と解決すべき課題】
画像形成部位において、紙などの転写材にトナー像を形成し、このトナー像を担持する転写材を定着部位に搬送するように構成した画像形成装置は従来から周知である。
【０００３】
「図５」はこのような画像形成装置の典型的な一例を示す概略側面図であって、以下これについて略述する。転写材１を収納したカセット２から給紙コロ３によって取り出された１枚の転写材がレジストローラ１５を経て、像担持体４と転写分離帯電器１６が対向している転写部位に達すると、この時までに前記像担持体４上に形成されたトナー像が、転写帯電器に印加される転写バイアスの作用で転写材に転移する。
【０００４】
トナー像を担持した転写材は、分離帯電器の作用で像担持体から分離され、搬送ベルト６によって搬送されて定着部位に至る。定着部位には所定温度に加熱されている定着ローラ９とこれに圧接する加圧ローラ１０が配設してあり、前記転写材は案内部８を経て前記両ローラの圧接ニップ部に突入し、両ローラに搬送される。これによって転写材に担持されたトナー像は転写材に溶融固定されてハードコピーが完成され、次いで排紙ローラ対１１を経て機外に排出される。
【０００５】
前記搬送ベルト６には図示はしてないが多数の小孔が形成されており、搬送側の裏面には吸引手段たる吸引ファン７が配設してある。従って該ファン７を駆動することによって搬送ベルト上の転写材は搬送ベルトに吸着傾向となってみだりに不整な動きをせずに搬送されることになる。
【０００６】
ところでこのような構成の装置では、搬送ベルト６上を搬送される転写材が、「図６」に示すような位置に来て、その後端部が吸引口１２を通過するとき吸引力が変化するので騒音が発生することを免れない。
【０００７】
本発明はこのような事態に対処すべくなされたものであって、転写材後端が吸引口を通過する際に発生する騒音を防止することを目的とするものである。
【０００８】
【課題を解決するための手段】
上記目的を達成するための本発明の画像形成装置の搬送装置は、多数の小孔が形成された搬送ベルトのうち転写材が載置される部分の下に位置する吸引口からファンで吸引することにより転写材を前記搬送ベルトに吸着させて搬送する画像形成装置の搬送装置において、
（１）前記吸引口よりも搬送方向上流側に配置された、転写材後端を検知する検知部材を備え、
（２）該検知部材が転写材後端を検知したときに前記ファンを停止させることを特徴とするものである。
上記目的を達成するための本発明の他の画像形成装置の搬送装置は、多数の小孔が形成された搬送ベルトのうち転写材が載置される部分の下に位置する吸引口からファンで吸引することにより転写材を前記搬送ベルトに吸着させて定着部位へ搬送する画像形成装置の搬送装置において、
（３）転写材先端が前記定着部位へ突入した後であって、転写材後端が前記吸引口に達する前にファンを停止させることを特徴とするものである。
【０００９】
このように構成することによって、吸引手段を具備する搬送ベルトを介して転写材を搬送するように構成した画像形成装置の搬送装置において、転写材後端が搬送される時発生する騒音を有効に阻止できる。
【００１０】
【実施例の説明】
「図１」は本発明の実施例たる画像形成装置の概略側面図である。この装置の各部で、前記「図５」に示す装置に対応する部位には同一の符号を付して示してあり、それらについての説明は必要ない限り省略する。
【００１１】
このような装置において、図示の装置では、「図２」に示す搬送ベルト部位の拡大斜視図に示すように、吸引口１２の、転写材搬送方向に見て上流側に転写材を検知する検知部材１３が配設してあり、また、「図１」に示すように、次の転写材が画像形成部位に到達したとき、その先端を検知するための検知手段１４が配設してある。
【００１２】
このように転写材を検知する手段を配設することによって、装置本体側に配設した制御部に信号を送って、先行する転写材後端を前記検知部材１３が検知したときにファン７を停止し、次の転写材がレジストローラ１５に達したときにファン７を駆動させるものとする。
【００１３】
このように構成することによって、前記「図６」に示すように、転写材後端が吸引口１２に達したときにはファン７が停止するので前述のような騒音の発生を好適に阻止できる。「図３」は以上の作動を示すフローチャートである。
【００１４】
本発明の他の実施態様について説明すると、「図１」に示すような装置において、定着部位に転写材先端が突入した後は搬送装置の搬送力は必要ない。そこで、転写材の先端を検知部材１４あるいは検知部材１３によって検知し、転写材が定着部位に到達する所要時間をカウントする。その後、前記所要時間経過後、即ち、転写材先端が定着部位に突入したときにファン７を停止する。このとき、転写材後端は未だ吸引口上を通過していない。転写材後端が吸引口上を通過するときには、ファンは停止しているので騒音が発生することはない。停止したファンは、次の転写材が遅くも吸引部位に達するまでに駆動する。
【００１５】
このように構成することによって、転写材の先端が定着部位に突入する以前の、搬送力を必要とするときには、搬送ベルト６による吸着傾向が転写材に作用するので搬送が効果的に遂行される。「図４」はこの場合の作動を示すフローチャートである。
【００１６】
【発明の効果】
以上説明したように、本発明によれば、転写材を、搬送ベルトによって、転写材を吸引しながら搬送する画像形成装置の搬送装置において、転写材後端が吸引口上方に到来したときには吸引作用を停止し、次の転写材が遅くも吸引部位に到来したとき吸引作用を回復するように構成したから、転写材の後端部が搬送吸引口上を通過する際、吸引力が変化することによって発生する騒音を有効に阻止して搬送装置の静粛な駆動に極めて有効である。
【図面の簡単な説明】
【図１】本発明の実施例たる画像形成装置の概略側面図
【図２】同上搬送ベルト部分の拡大斜視図
【図３】同上の作動を示すフローチャート
【図４】本発明の他の実施態様を示すフローチャート
【図５】公知の画像形成装置の構成を示す概略側面図
【図６】同上一部の概略側面図
【符号の説明】
１              転写材
２              カセット
４              像担持体
６              搬送ベルト
７              フアン
８              案内部
９              定着ローラ
１０            加圧ローラ
１１            排紙ローラ対
１２            吸引口
１３、１４      転写材検知部材
【図１】
0003620609.tif 000002
【図２】
0003620609.tif 000003
【図３】
0003620609.tif 000004
【図４】
0003620609.tif 000005
【図５】
0003620609.tif 000006
【図６】
0003620609.tif 000007